(57)【要約】【課題】連続した切り離し線を介して連接した第１の領域と第２の領域とを有する第１のシートと、第２のシートとが貼着された構成において、第１の領域と第２の領域とがそれぞれ、切り離し線を介して隣り合う角部を含む領域を剥離開始端部として第２のシートから剥離する場合でも、第１の領域と第２の領域とのそれぞれについて、切り離し線に沿わない領域を破断させずにきれいに剥離する。【解決手段】スリット１５ａを介して配達票１１と控え票１３とが連接した上基材１０と下基材２０とが貼着され、配達票１１及び控え票１３がそれぞれ、隣り合う角部を含む領域を剥離開始端部１１ｃ，１３ｃとして下基材２０から剥離される構成において、スリット１５ａが、剥離開始端部１１ｃ，１３ｃに、角部側が開いたＹ字状のカット１７ａとタイ１７とからなるジッパー部１７を有する。【選択図】図１
2018146699.tif 000002
【特許請求の範囲】
【請求項１】
第１の領域と第２の領域とを有し、該第１の領域と第２の領域とが、連続した切り離し線を介して連接した第１のシートと、
前記第１のシートの一方の面に貼着され、前記第１のシートとの貼着面とは反対側の面に粘着層を介して剥離紙が剥離可能に貼着された第２のシートとを有し、
前記第１の領域及び第２の領域がそれぞれ、前記第２のシートから剥離可能に構成され、前記切り離し線を介して隣り合う角部を含む領域を剥離開始端部として前記第２のシートから剥離されるラベルであって、
前記切り離し線は、前記剥離開始端部に、前記角部側が開いたＹ字状のカットとタイとからなるジッパー部を有する、ラベル。
【発明の詳細な説明】
【技術分野】
【０００１】
本発明は、２枚のシートの少なくとも一部が剥離可能に貼着されたラベルに関し、特に、剥離開始端部の構造に関する。
【背景技術】
【０００２】
一般に、配送物を配送する場合、配送物の配送元及び配送先の住所や氏名あるいは名称等の配送情報が印字された配送ラベルが用いられている。このような配送ラベルは、上述したような配送情報が印字され、裏面に塗工された粘着剤によって配送物に貼着されて使用される。そして、配送物が配送先に配送された後、配送物に貼着された配送ラベルの一部が配送ラベルから分離され、配送業者等にて持ち帰られることになる。
【０００３】
図８は、一般的な配送ラベルの一例を示す図であり、（ａ）は正面図、（ｂ）は積層構造を示す図である。
【０００４】
本例は図８に示すように、剥離紙１３０上に下基材１２０と上基材１１０とが積層されて構成された配送ラベル１０１である。
【０００５】
上基材１１０は、配達票１１１と、貼付票１１２と２つの控え票１１３，１１４とが互いに分離可能に区画形成されて構成されている。配達票１１１と控え票１１３とは、スリット１１５ａを介して連接し、このスリット１１５ａによって分離可能となっている。貼付票１１２と控え票１１４とは、スリット１１５ｂを介して連接し、このスリット１１５ｂによって分離可能となっている。配達票１１１と貼付票１１２とは、スリット１１６ａを介して連接し、このスリット１１６ａによって分離可能となっている。２つの控え票１１３，１１４は、スリット１１６ｂを介して互いに連接し、このスリット１１６ｂによって分離可能となっている。配達票１１１、貼付票１１２及び控え票１１３，１１４のそれぞれには、この配送ラベル１０１が貼着されて配送される配送物の配送元及び配送先の住所や氏名あるいは名称、さらには配送物の内容等の配送情報が印字される配送情報表示領域１１１ａ，１１２ａ，１１３ａ，１１４ａが設けられている。また、配達票１１１には、この配送ラベル１０１が貼着されて配送される配送物の配送先にて受領印を押下するための押印領域１１１ｂが設けられている。上基材１１０の裏面には、その全面にニス層が積層されているが、ニス層の濃度は、配達票１１１、貼付票１１２及び控え票１１３，１１４の用途に応じて適宜設定されている。
【０００６】
下基材１２０の表面には、その全面に感圧接着剤が塗工されており、この感圧接着剤と、上基材１１０の裏面に積層されたニス層とによって、上基材１１０と下基材１２０とが剥離可能に貼着されている。下基材１２０の裏面には、その全面に粘着剤が塗工されている。
【０００７】
剥離紙１３０は、剥離台紙の一方の面に剥離剤が塗工されることによって構成されている。この剥離紙１３０の剥離剤が塗工された面に下基材１２０が積層され、下基材１２０の裏面に塗工された粘着剤によって下基材１２０が剥離紙１３０に剥離可能に貼着されている。
【０００８】
上記のように構成された配送ラベル１０１においては、配送情報表示領域１１１ａ，１１２ａ，１１３ａ，１１４ａのそれぞれに配送情報が印字された後、剥離紙１３０が剥離され、下基材１２０の裏面に塗工された粘着剤によって配送物に貼着されて使用される。
【０００９】
配送ラベル１０１が貼着された配送物が配送先に届けられると、配達票１１１の押印領域１１１ｂに受領印が押下され、配達票１１１が、下基材１２０から剥離されるとともに上基材１１０から分離され、配送業者によって持ち帰られる。また、控え票１１３が、下基材１２０から剥離されるとともに上基材１１０から分離され、保管される場合もある。
【００１０】
このように、配達票１１１や控え票１１３が下基材１２０から剥離されるとともに上基材１１０から分離される際、配達票１１１や控え票１１３は、図中左下の角部を剥離開始端部１１１ｃ，１１３ｃとして、下基材１２０から剥離されるとともに上基材１１０から分離されていくことになる。そのため、下基材１２０の上基材１１０との貼着面のうち、剥離開始端部１１１ｃ，１１３ｃに対向する領域のみ、感圧接着剤を塗工しない構成とすれば、その領域においては、上基材１１０と下基材１２０とが貼着されていないこととなり、それにより、剥離開始端部１１１ｃ，１１３ｃが摘みやすくなり、配達票１１１や控え票１１３を下基材１２０から剥離する作業をスムーズに行うことができるようになる。
【００１１】
しかしながら、下基材１２０の感圧接着剤が塗工されていない領域においては、上基材１１０と下基材１２０とが貼着されていないため、配送情報表示領域１１１ａ，１１２ａ，１１３ａ，１１４ａのそれぞれに配送情報を印字する際、プリンタ内において、上基材１１０と下基材１２０とが貼着されていない領域から上基材１１０が捲れ上がり、上基材１１０と下基材１２０とが剥離してしまい、紙づまり等が発生してしまう虞れがある。特に、配達票１１１や控え票１１３を下基材１２０から剥離しやすくするためには、上基材１１０と下基材１２０とが貼着されていない領域の面積を広くすることが好ましいが、その面積を広くするほど、上基材１１０が捲れ上がり、プリンタ内にて上基材１１０と下基材１２０とが剥離してしまう可能性が高くなってしまう。
【００１２】
ここで、配達票と貼付票とがスリットを介して分離可能となった上基材の裏面に下基材が貼着された配送ラベルにおいて、配達票の剥離開始端部においては、スリットの代わりに、短辺が配達票側に斜めに延びた、への字状のジッパー部を設けた構成が特許文献１に開示されている。この配送ラベルにおいては、配達票の剥離開始端部においては、スリットの代わりにジッパー部が設けられていることにより、配達票と貼付票とがその一部にて繋がっており、それにより、配達票の剥離開始端部が下基材と貼着されていなくても、プリンタにて搬送する際等にて上基材と下基材とが不用意に剥離してしまうことを回避できる。また、ジッパー部が、短辺が配達票１１１側に斜めに延びた、への字状のものであるため、配達票１１１を上基材１１０から分離する力が向かう方向に、への字状の短辺が存在し、それにより、配達票１１１をスリット１１５ａに沿って控え票１１３からきれいに分離することができる。
【先行技術文献】
【特許文献】
【００１３】
【特許文献１】特開２０１５−８７５５９号公報
【発明の概要】
【発明が解決しようとする課題】
【００１４】
ところで、図８に示した配送ラベル１０１においては、上述したように、配送情報表示領域１１１ａ，１１２ａ，１１３ａ，１１４ａのそれぞれに配送情報が印字された後、剥離紙１３０が剥離され、下基材１２０の裏面に塗工された粘着剤によって配送物に貼着されて使用されることになるが、剥離紙１３０を剥離する際、配送ラベル１０１の角部を剥離開始端部として、下基材１２０と剥離紙１３０とを剥離することになる。そのため、上述したように、下基材１２０の上基材１１０との貼着面のうち、剥離開始端部１１１ｃ，１１３ｃに対向する領域のみ、感圧接着剤を塗工しない構成とすると、その領域においては、上基材１１０と下基材１２０とが貼着されていないため、剥離開始端部１１３ｃにおいては、剥離紙１３０を剥離しようとした際、下基材１２０と剥離紙１３０とが剥離せずに、上基材１１０と下基材１２０とが剥離してしまい、作業がスムーズに行われなくなってしまう。
【００１５】
そこで、控え票１１３の剥離開始端部を、控え票１１３の角部のうち配達票１１１の剥離開始端部１１１ｃに隣り合う角部を含む領域とすることが考えられる。しかしながら、そのような構成において特許文献１に開示された技術を採用し、配達票１１１の剥離開始端部に、短辺が配達票１１１側に斜めに延びた、への字状のジッパー部をスリット１１７の代わりに設けたとしても、プリンタにて搬送する際等にて上基材１１０と下基材１２０とが不用意に剥離してしまうことは回避できるものの、ジッパー部が、短辺が配達票１１１側に斜めに延びた、への字状のものであるため、控え票１１３を上基材１１０から分離する力が向かう方向には、への字状の短辺が存在せず、それにより、控え票１１３をスリット１１５ａに沿って配達票１１１からきれいに分離することができなくなる虞がある。
【００１６】
本発明は、上述したような従来の技術が有する問題点に鑑みてなされたものであって、連続した切り離し線を介して連接した第１の領域と第２の領域とを有する第１のシートと、第２のシートとが貼着された構成において、第１の領域と第２の領域とがそれぞれ、切り離し線を介して隣り合う角部を含む領域を剥離開始端部として第２のシートから剥離する場合でも、第１の領域と第２の領域とのそれぞれについて、切り離し線に沿わない領域を破断させずにきれいに剥離することができるラベルを提供することを目的とする。
【課題を解決するための手段】
【００１７】
上記目的を達成するために本発明は、
第１の領域と第２の領域とを有し、該第１の領域と第２の領域とが、連続した切り離し線を介して連接した第１のシートと、
前記第１のシートの一方の面に貼着され、前記第１のシートとの貼着面とは反対側の面に粘着層を介して剥離紙が剥離可能に貼着された第２のシートとを有し、
前記第１の領域及び第２の領域がそれぞれ、前記第２のシートから剥離可能に構成され、前記切り離し線を介して隣り合う角部を含む領域を剥離開始端部として前記第２のシートから剥離されるラベルであって、
前記切り離し線は、前記剥離開始端部に、前記角部側が開いたＹ字状のカットとタイとからなるジッパー部を有する。
【００１８】
上記のように構成された本発明においては、第１の領域と第２の領域とのそれぞれを、切り離し線を介して隣り合う角部を含む領域を剥離開始端部として第２のシートから剥離する場合、切り離し線が、剥離開始端部に、角部側が開いたＹ字状のカットとタイとからなるジッパー部を有するものであることで、第１の領域と第２の領域のいずれにおいても、ジッパー部のタイにおいて、第２のシートから剥離しようとする力が向かう方向にＹ字状のカットが存在することとなり、それにより、ジッパー部が切り離し線に沿って繋がり、第１の領域と第２の領域とのそれぞれについて、切り離し線に沿わない領域が破断せずに第２のシートからきれいに剥離されることになる。
【発明の効果】
【００１９】
本発明によれば、連続した切り離し線を介して連接した第１の領域と第２の領域とを有する第１のシートと第２のシートとが貼着され、第１の領域及び第２の領域がそれぞれ、切り離し線を介して隣り合う角部を含む領域を剥離開始端部として第２のシートから剥離される構成において、切り離し線が、剥離開始端部に、角部側が開いたＹ字状のカットとタイとからなるジッパー部を有するため、第１の領域と第２の領域とがそれぞれ、切り離し線を介して隣り合う角部を含む領域を剥離開始端部として第２のシートから剥離する場合でも、第１の領域と第２の領域とのそれぞれについて、切り離し線に沿わない領域を破断させずにきれいに剥離することができる。
【図面の簡単な説明】
【００２０】
【図１】本発明のラベルの実施の一形態を示す図であり、（ａ）は正面図、（ｂ）は（ａ）に示した矢印Ａ方向から見た図、（ｃ）は（ａ）に示した矢印Ｂ方向から見た図である。
【図２】図１に示した上基材の下基材との貼着面の構成を示す図である。
【図３】図１に示した下基材の上基材との貼着面の構成を示す図である。
【図４】図３に示した下基材のメジウム層が積層された面上の構成を示す図である。
【図５】図４に示した接着部の構成を示す図である。
【図６】図１〜図５に示した配送ラベルが配送物に貼着された後の使用方法を説明するための図であり、（ａ）は配達票が下基材から剥離され始める状態を示す正面図、（ｂ），（ｃ）は配達票が下基材から剥離され始める際のジッパー部近傍の状態を示す図、（ｄ）は配達票が下基材から剥離された状態を示す正面図である。
【図７】図１〜図５に示した配送ラベルが配送物に貼着された後の使用方法を説明するための図であり、（ａ）は控え票が下基材から剥離され始める状態を示す正面図、（ｂ），（ｃ）は控え票が下基材から剥離され始める際のジッパー部近傍の状態を示す図、（ｄ）は控え票が下基材から剥離された状態を示す正面図である。
【図８】一般的な配送ラベルの一例を示す図であり、（ａ）は正面図、（ｂ）は積層構造を示す図である。
【発明を実施するための形態】
【００２１】
以下に、本発明の実施の形態について図面を参照して説明する。
【００２２】
図１は、本発明のラベルの実施の一形態を示す図であり、（ａ）は正面図、（ｂ）は（ａ）に示した矢印Ａ方向から見た図、（ｃ）は（ａ）に示した矢印Ｂ方向から見た図である。図２は、図１に示した上基材１０の下基材２０との貼着面の構成を示す図であり、他の図との比較がしやすいように上基材１０を正面から透視的に見た図である。図３は、図１に示した下基材２０の上基材１０との貼着面の構成を示す図である。図４は、図３に示した下基材２０のメジウム層５０が積層された面上の構成を示す図である。図５は、図４に示した接着部６２の構成を示す図である。
【００２３】
本形態は図１に示すように、剥離紙３０上に、第２のシートとなる下基材２０と、第１のシートとなる上基材１０とが積層されて構成された配送ラベル１である。
【００２４】
上基材１０は、第１の領域となる配達票１１１と、貼付票１１２と、第２の領域となる控え票１３と、控え片１４とが互いに分離可能に区画形成されて構成されている。配達票１１と控え票１３とは、切り離し線となる連続したスリット１５ａを介して連接し、このスリット１５ａによって分離可能となっている。貼付票１２と控え票１４とは、連続したスリット１５ｂを介して連接し、このスリット１５ｂによって分離可能となっている。配達票１１と貼付票１２とは、連続したスリット１６ａを介して連接し、このスリット１６ａによって分離可能となっている。２つの控え票１３，１４は、連続したスリット１６ｂを介して互いに連接し、このスリット１６ｂによって分離可能となっている。配達票１１、貼付票１２及び控え票１３，１４のそれぞれには、この配送ラベル１が貼着されて配送される配送物の配送元及び配送先の住所や氏名あるいは名称、さらには配送物の内容等の配送情報が印字される配送情報表示領域１１ａ，１２ａ，１３ａ，１４ａが設けられている。また、配達票１１には、この配送ラベル１が貼着されて配送される配送物の配送先にて受領印を押下するための押印領域１１ｂが設けられている。
【００２５】
このように構成された上基材１０は、配達票１１及び控え票１３，１４が、下基材２０に剥離可能に貼着されているが、配達票１１及び控え票１３においては、配送ラベル１の端辺であって、スリット１５ａを介して隣り合う角部を含む領域が剥離開始端部１１ｃ，１３ｃとなっている。そして、スリット１５ａは、剥離開始端部１１ｃ，１３ｃにおいては、連続したものではなく、カット１７ａとタイ１７ｂとからなるジッパー部１７となっている。ジッパー部１７を構成するカット１７ａは、スリット１５ａと同一方向に延びた主切り込み部と、主切り込み部の端部のうち、剥離開始端部１１ｃ，１３ｃが含まれる角部側の端部に繋がり、その端部から、配達票１１と控え票１３の方向にそれぞれ鈍角をなして延びた２本の斜め切り込み部とからなるＹ字状のものとなっており、それにより、カット部１７ａは、剥離開始端部１１ｃ，１３ｃに含まれる角部側が開いたＹ字状となっている。
【００２６】
上基材１０の下基材２０との貼着面には、図２に示すように、配達票１１及び控え票１３，１４においては、紫外線硬化型等の一般的な剥離ニスが１００％の濃度で塗工されることでニス層４１が積層され、また、貼付票１２においては、同様の剥離ニスが５０％の濃度で塗工されることでニス層４２が積層されている。
【００２７】
下基材２０の上基材１０との貼着面においては、図３に示すように、配達票１１に対向する配達票対向領域２１と、控え票１３，１４にそれぞれ対向する控え票対向領域２３，２４との全面のそれぞれに、酸化チタン等を含有する一般的なメジウムによって構成されるメジウム層５０が積層されているとともに、貼付票１２に対向する貼付票対向領域２２には、その一部を除く領域にメジウム層５０が積層されている。なお、図３及び図４においては、上基材１０のスリット１５ａ，１５ｂ，１６ａ，１６ｂに対向する領域を破線で示し、それにより、配達票１１に対向する配達票対向領域２１と、貼付票１２に対向する貼付票対向領域２２と、控え票１３，１４にそれぞれ対向する控え票対向領域２３，２４との境界を明記している。貼付票１２に対向する貼付票対向領域２２においては、控え票対向領域２４との連接辺とは反対側の端辺に沿う帯状の領域にメジウム層５０が積層されていない。このように下基材２０の上基材１０との貼着面にメジウム層５０を積層することで、上基材１０を下基材２０から剥離しやすくすることができる。そして、貼付票１２に対向する貼付票対向領域２２の一部にメジウム層５０を積層しないことで、少なくとも貼付票１２だけは、配送ラベル１が配送物に貼着された後に配達物から不用意に離脱してしまうことを回避できる。
【００２８】
下基材２０のメジウム層５０が積層された面上においては、図４に示すように、接着部６１〜６３が設けられている。
【００２９】
接着部６１は、配達票１１に対向する配達票対向領域２１においては、その外周に対して一定の間隔を隔てた領域と剥離開始端部１１ｃに対向する三角形の領域とに沿って一定の幅を有して感圧接着剤が所定の網点濃度で塗工されることで設けられている。また、貼付票１２に対向する貼付票対向領域２２においては、その外周に沿って一定の間隔の領域以外の全面に感圧接着剤が所定の網点濃度で塗工されることで接着部６１が設けられている。また、控え票１３に対向する控え票対向領域２３においては、その外周に対して一定の間隔を隔てた領域と剥離開始端部１３ｃに対向する三角形の領域とに沿って一定の幅を有して感圧接着剤が所定の網点濃度で塗工されることで設けられている。また、控え票１４に対向する控え票対向領域２４においては、その外周に対して一定の間隔を隔てた領域と剥離開始端部に対向する三角形の領域とに沿って一定の幅を有して感圧接着剤が所定の網点濃度で塗工されることで設けられている。
【００３０】
接着部６２は、配達票対向領域２１において、接着部６１に囲まれた領域の全面に、感圧接着剤がパターン塗工されることで設けられている。接着部６２は、図５に示すように、感圧接着剤が塗工された接着領域６２ａが、感圧接着剤が塗工されていない非接着部６２ｂ内に島状に設けられて構成されている。接着領域６２ａは、長方形の形状を具備し、その長辺が、配達票１１が下基材２０から剥離されていく方向に延びるようにして配置されている。具体的には、接着領域６２ａは、配達票対向領域２１と控え票対向領域２３との連接方向に対して、長辺が第１の角度α1を有する方向に延び、かつ、第２の角度α2を有する方向に並んで構成されている。第１の角度α1としては、例えば４５度が考えられ、また、第２の角度α2としては、例えば、３０度が考えられる。なお、接着領域６２ａの形状は長方形に限らず、三角形や楕円等であってもよく、さらにはストライプ状であってもよい。また、接着部６２は、感圧接着剤が塗工された接着領域内に、感圧接着剤が塗工されていない非接着領域が島状に設けられている構成としてもよい。接着部６２はこのように構成されることにより、上基材１０と下基材２０との接着力が接着部６１よりも弱いものとなっている。
【００３１】
接着部６３は、控え票対向領域２３，２４において、接着部６１に囲まれた領域の全面に、感圧接着剤がパターン塗工されることで設けられている。この接着部６３においても、接着部６２と同様に、長方形の形状を具備する接着領域が、その長辺が、控え票１３が下基材２０から剥離されていく方向に延びるようにして配置されている。
【００３２】
接着部６１〜６３がこのように設けられることで、配達票対向領域２１においては、剥離開始端部１１ｃに対向する領域が、接着部６１〜６３が設けられていない非接着部７１となっている。また、控え票対向領域２３，２４においても、剥離開始端部１３ｃに対向する領域が、接着部６１〜６３が設けられていない非接着部７３となっている（控え票対向領域２３についてのみ図示）。スリット１５ａ，１５ｂ，１６ａ，１６ｂ及びジッパー部１７は、接着部６１〜６３が設けられていない領域に対向して設けられている。
【００３３】
剥離紙３０は、剥離台紙の一方の面に剥離剤が塗工されることによって構成されている。この剥離紙３０の剥離剤が塗工された面に下基材２０が積層され、下基材２０の裏面に塗工された粘着剤による粘着層によって下基材２０が剥離紙３０に剥離可能に貼着されている。
【００３４】
以下に、上記のように構成された配送ラベル１の使用方法について説明する。
【００３５】
上記のように構成された配送ラベル１においては、まず、配送情報表示領域１１ａ，１２ａ，１３ａ，１４ａのそれぞれに配送情報が印字される。その際、配達票１１のうちの剥離開始端部１１ｃと、控え票１３の剥離開始端部１３ｃはそれぞれ、下基材２０に貼着されていない非接着部７１，７３となっているが、スリット１５ａが、剥離開始端部１１ｃ，１３ｃにおいては、連続したものではなく、Ｙ字状のカット１７ａとタイ１７ｂとからなるジッパー部１７となっているため、配達票１１と控え票１３とがその一部にて繋がっており、それにより、配送情報表示領域１１ａ，１２ａ，１３ａ，１４ａのそれぞれに配送情報を印字するためにプリンタ内を湾曲しながら搬送された場合であっても、配達票１１や控え票１３が捲れ上がることがなくなり、プリンタ内にて上基材１０と下基材２０とが剥離してしまうことが回避されることになる。
【００３６】
その後、剥離紙３０が剥離され、下基材２０の裏面に塗工された粘着剤によって配送物に貼着されて使用される。その際、配達票１１や控え票１３を下基材２０から剥離する剥離開始端部１１ｃ，１３ｃが、上基材１０と下基材２０とが貼着されていない非接着部７１，７３となっているものの、剥離開始端部１１ｃ，１３ｃが、配送ラベル１の角部ではなく、配達票１１及び控え票１３の隣り合う角部に設けられているため、配送ラベル１の角部を剥離開始端部として、下基材２０と剥離紙３０とを剥離したとしても、上基材１０と下基材２０とが剥離してしまうことがなく、作業がスムーズに行われることとなる。
【００３７】
図６は、図１〜図５に示した配送ラベル１が配送物に貼着された後の使用方法を説明するための図であり、（ａ）は配達票１１が下基材２０から剥離され始める状態を示す正面図、（ｂ），（ｃ）は配達票１１が下基材２０から剥離され始める際のジッパー部１７近傍の状態を示す図、（ｄ）は配達票１１が下基材２０から剥離された状態を示す正面図である。
【００３８】
配送ラベル１が貼着された配送物が配送先に届けられると、配達票１１の押印領域１１ｂに受領印が押下され、図６（ａ）に示すように、配達票１１の剥離開始端部１１ｃが配達票１１の対角線方向に引っ張られることで、配達票１１が、下基材２０から剥離されるとともに控え票１３から分離されていく。
【００３９】
その際、図６（ｂ）に示すように、配達票１１と控え票１３との分離部分が、ジッパー部１７のうち剥離開始端部１１ｃを含む角部から延びた部分の主切り込み部１７ｃの端部に達すると、ジッパー部１７のタイ１７ｂが裂けてその破断部分１８ａが配達票１１の対角線方向（図中右上に向かう方向）に延びていく。
【００４０】
ところが、破断部分１８ａが延びる方向には、ジッパー部１７の隣接するＹ字状のカット１７ａの斜め切り込み部１７ｄが存在するため、図６（ｃ）に示すように破断部分１８ａがこの斜め切り込み部１７ｄに繋がり、それにより、その後スリット１５ａに沿って配達票１１が控え票１３から分離していき、図６（ｄ）に示すように、配達票１１が配送ラベル１から分離されることになる。なお、配達票対向領域２１に、広告情報等を印刷しておけば、配達票１１が下基材２０から剥離された場合にその広告情報を通知することができる。
【００４１】
これにより、配達票１１が、スリット１５ａに沿わない領域が破断することなく下基材２０からきれいに剥離されることになる。
【００４２】
下基材２０から剥離された配達票１１は、配送業者によって持ち帰られ、配送物が配送先に届けられたことが管理されることになる。
【００４３】
一方、控え票１３においても、下基材２０から剥離して配送物の管理等のために保管される場合がある。
【００４４】
図７は、図１〜図５に示した配送ラベル１が配送物に貼着された後の使用方法を説明するための図であり、（ａ）は控え票１３が下基材２０から剥離され始める状態を示す正面図、（ｂ），（ｃ）は控え票１３が下基材２０から剥離され始める際のジッパー部１７近傍の状態を示す図、（ｄ）は控え票１３が下基材２０から剥離された状態を示す正面図である。
【００４５】
配送ラベル１が配送物に貼着される前や、配送物に貼着された後、控え票１３を用いて配送物を管理する場合、図７（ａ）に示すように、控え票１３の剥離開始端部１３ｃが控え票１３の対角線方向に引っ張られることで、控え票１３が、下基材２０から剥離されていく。
【００４６】
その際、図７（ｂ）に示すように、配達票１１と控え票１３との分離部分が、ジッパー部１７のうち剥離開始端部１３ｃを含む角部から延びた部分の主切り込み部１７ｃの端部に達すると、ジッパー部１７のタイ１７ｂが裂けてその破断部分１８ｂが控え票１３の対角線方向（図中右下に向かう方向）に延びていく。
【００４７】
ところが、破断部分１８ｂが延びる方向には、ジッパー部１７の隣接するＹ字状のカット１７ａの斜め切り込み部１７ｅが存在するため、図７（ｃ）に示すように破断部分１８ｂがこの斜め切り込み部１７ｅに繋がり、それにより、その後スリット１５ａに沿って控え票１３が配達票１１から分離していき、図７（ｄ）に示すように、控え票１３が配送ラベル１から分離されることになる。なお、控え票対向領域２３に、広告情報等を印刷しておけば、控え票１３が下基材２０から剥離された場合にその広告情報を通知することができる。
【００４８】
これにより、控え票１３が、スリット１５ａに沿わない領域が破断することなく下基材２０からきれいに剥離されることになる。
【００４９】
このように、本形態においては、スリット１５ａを介して連接した配達票１１と控え票１３とを有する上基材１０と下基材２０とが貼着され、配達票１１及び控え票１３がそれぞれ、隣り合う角部を含む領域を剥離開始端部１１ｃ，１３ｃとして下基材２０から剥離される構成において、スリット１５ａが、剥離開始端部１１ｃ，１３ｃに、角部側が開いたＹ字状のカット１７ａとタイ１７ｂとからなるジッパー部１７を有するため、配達票１１と控え票１３とがそれぞれ、隣り合う角部を含む領域を剥離開始端部１１ｃ，１３ｃとして下基材２０から剥離する場合でも、配達票１１と控え票１３とのそれぞれについて、スリット１５ａに沿わない領域を破断させずにきれいに剥離することができる。
【００５０】
なお、本発明のラベルは、第１のシートが、連続した切り離し線を介して連接した第１の領域と第２の領域とを有するものであればよく、上述したように、配達票１１、貼付票１２及び２つの控え票１３，１４がマトリックス状に連接した構成である必要はない。
【００５１】
また、第１のシートと第２のシートとの貼着構造は、上述したようにニス層４１，４２やメジウム層５０を用いたものに限らず、また、接着部６２，６３の塗工パターンも上述したものに限らない。
【符号の説明】
【００５２】
１    配送ラベル
１０    上基材
１１    配達票
１１ａ，１２ａ，１３ａ，１４ａ    配送情報表示領域
１１ｂ    押印領域
１２    貼付票
１３，１４    控え票
１５ａ，１５ｂ，１６ａ，１６ｂ    スリット
１７    ジッパー部
１７ａ    カット
１７ｂ    タイ
１７ｃ    主切り込み部
１７ｄ，１７ｅ    斜め切り込み部
１８ａ，１８ｂ    破断部分
２０    下基材
２１    配達票対向領域
２２    貼付票対向領域
２３，２４    控え票対向領域
３０    剥離紙
４１，４２    ニス層
５０    メジウム層
６１〜６２    接着部
６２ａ    接着領域
６２ｂ    非接着領域
７１，７３    非接着部
【図１】
2018146699.tif 000003
【図２】
2018146699.tif 000004
【図３】
2018146699.tif 000005
【図４】
2018146699.tif 000006
【図５】
2018146699.tif 000007
【図６】
2018146699.tif 000008
【図７】
2018146699.tif 000009
【図８】
2018146699.tif 000010